(57)【要約】      （修正有）【課題】操作性を向上し、操作ミスの発生頻度を低減可能なスティック式指示装置を提供する。【解決手段】スティック式指示装置１００は、操作スティック１と、操作スティック１の軸方向Ｄがスティック配置孔の延びる方向に一致した起立姿勢と当該起立姿勢に対して操作スティックを傾倒させた傾倒姿勢との間で起倒可能に操作スティック１を支持する基台２と、傾倒姿勢となる操作スティック１の外面が、内面に接触するガイド孔４ａを形成するとともに基台２に設けられたガイド部材４と、操作スティック１の動作に対応した操作指示信号を生成する基板装置３と、を備え、ガイド孔４ａは、ガイド孔４ａの延びるガイド孔方向から見て、頂点または頂線を意味する八個の頂部を有する八角形状または角丸八角形状をなし、起立姿勢となる操作スティック１の軸線Ｏからの距離が互いに異なる少なくとも二種の頂部が設けられている。【選択図】図２
0003234990.tif 000002
【実用新案登録請求の範囲】
【請求項１】
操作者が操作する軸状をなす操作スティックと、
前記操作スティックを内側に配置するスティック配置孔を形成するとともに、前記操作スティックの軸方向が前記スティック配置孔の延びる方向に一致した起立姿勢と、該起立姿勢に対して前記操作スティックを傾倒させた傾倒姿勢との間で起倒可能に前記操作スティックを支持する基台と、
前記傾倒姿勢となる前記操作スティックの外面が、内面に接触するガイド孔を形成するとともに前記基台に設けられたガイド部材と、
前記操作スティックの動作に対応した操作指示信号を生成する基板装置と、
を備え、
前記ガイド孔は、該ガイド孔の延びるガイド孔方向から見て、頂点または頂線を意味する八個の頂部を有する八角形状または角丸八角形状をなし、
前記起立姿勢となる前記操作スティックの軸線からの距離が互いに異なる少なくとも二種の前記頂部が設けられているスティック式指示装置。
【請求項２】
前記操作スティックの最大傾倒量を異ならせる少なくとも前記二種の前記頂部が設けられている請求項１に記載のスティック式指示装置。
【請求項３】
八個の前記頂部のそれぞれと、前記起立姿勢となる前記操作スティックにおける軸線とを結ぶ八本の仮想線を定義した際に、前記ガイド孔方向から見て、隣り合う該仮想線同士の角度差が４５度となる請求項１または２に記載のスティック式指示装置。
【請求項４】
前記操作者の前方に操作スティックが配置された状態で前記操作者の前後方向に延びる一対の前記仮想線を第一仮想線対、前記操作者の左右方向に延びる一対の前記仮想線を第二仮想線対、および前記前後方向と前記左右方向とによって前記軸線に対する周方向に挟まれる斜め方向に延びる一対の前記仮想線を第三仮想線対および第四仮想線対と定義した際に、
前記第三仮想線対上および前記第四仮想線対上に配置された前記頂部は、前記第一仮想線対上および前記第二仮想線対上に配置された前記頂部に比べて、前記起立姿勢となる前記操作スティックの軸線からの距離が大きい請求項３に記載のスティック式指示装置。
【請求項５】
前記起立姿勢となる前記操作スティックの軸線から前記第三仮想線対上および前記第四仮想線対上に配置された前記頂部までの距離である斜方距離Ａと、前記起立姿勢となる前記操作スティックの軸線から前記第一仮想線対上および前記第二仮想線対上に配置された前記頂部までの距離である前後左右距離Ｂとが、√２×Ｂ＞Ａ＞Ｂを満足する請求項４に記載のスティック式指示装置。
【請求項６】
前記第三仮想線対上および前記第四仮想線対上での前記操作スティックの最大傾倒量が、前記第一仮想線対上および前記第二仮想線対上での前記操作スティックの最大傾倒量に比べて大きくなっている請求項４または５に記載のスティック式指示装置。
【請求項７】
前記第三仮想線対上および前記第四仮想線対上での前記操作スティックの最大傾倒量が、互いに同一である請求項６に記載のスティック式指示装置。
【請求項８】
前記第一仮想線対上および前記第二仮想線対上に配置された四つの前記頂部は、該頂部の各々から前記起立姿勢となる前記操作スティックの軸線までの距離が互いに同一となる位置に配置されている請求項４から７のいずれか一項に記載のスティック式指示装置。
【請求項９】
前記第一仮想線対上および前記第二仮想線対上での前記操作スティックの最大傾倒量は、互いに同一である請求項８に記載のスティック式指示装置。
【請求項１０】
前記操作スティックは円柱状をなすスティック本体を有し、
前記ガイド孔は前記角丸八角形状をなし、
前記ガイド孔の内面は、
前記頂部同士の間に配置された平面部と、
前記頂部を挟んで、前記起立姿勢となる前記操作スティックの軸線に対して周方向の両方向に前記スティック本体の外周面と共通する方向に湾曲して延びて、隣接する前記平面部同士を接続するとともに前記スティック本体の外面に接触可能な曲面部と、
を有している請求項１から９のいずれか一項に記載のスティック式指示装置。
【請求項１１】
前記操作スティックは円柱状をなすスティック本体を有し、
前記ガイド孔は前記角丸八角形状をなし、
前記ガイド孔の内面は、
前記頂部同士の間に配置された平面部と、
前記頂部を挟んで、前記起立姿勢となる前記操作スティックの軸線に対して周方向の両方向に前記スティック本体の外周面と共通する方向に湾曲して延びて、隣接する前記平面部同士を接続するとともに前記スティック本体の外面に接触可能な曲面部と、
を有し、
前記第三仮想線対上および前記第四仮想線対上の前記頂部を挟んで配置された前記曲面部の曲率半径Ｒｘと、前記第一仮想線対上および前記第二仮想線対上の前記頂部を挟んで配置された前記曲面部の曲率半径Ｒｙと、前記スティック本体の外面の曲率半径Ｒｚとが、Ｒｚ≧Ｒｙ＞Ｒｘを満足する請求項４から１０のいずれか一項に記載のスティック式指示装置。
【請求項１２】
前記操作スティックが前記頂部へ向けて傾倒した際に、前記操作スティックと前記頂部との間には隙間が形成される請求項１から１１に記載のスティック式指示装置。
【請求項１３】
前記ガイド孔の内面が、前記ガイド孔方向に前記操作者が操作する側となる前記操作スティックの先端側から、前記基台によって支持される側となる前記操作スティックの基端側に向かって漸次傾斜するテーパ面となっており、
前記ガイド孔の内面に前記操作スティックが接触した最大傾倒姿勢における該操作スティックの軸方向と、前記テーパ面とが並行である請求項１から１２のいずれか一項に記載のスティック式指示装置。
【請求項１４】
前記操作スティックは、
軸方向に延びるスティック本体と、
前記スティック本体に設けられ、前記操作スティックにおける軸線に対する周方向を向く規制面と、
を有し、
前記基台には、前記規制面に対向して前記スティック本体の相対回転を規制する対向面が設けられている請求項１から１３のいずれか一項に記載のスティック式指示装置。
【請求項１５】
前記操作スティックは、前記スティック本体に対して前記操作スティックにおける軸線に対する周方向への相対回転が規制されつつ該スティック本体の外面に設けられ、かつ前記規制面を形成する支持部をさらに有し、
前記支持部は、
前記操作スティックの軸方向からみて円形状をなすとともに前記基台に対して揺動可能に支持された支持部本体と、
前記支持部本体の周方向の一部において該支持部本体の径方向外側に突出する突起、または内周側に凹む溝と、
を有し、
前記規制面は、前記突起または前記溝における前記支持部本体の周方向を向く面である請求項１４に記載のスティック式指示装置。
【請求項１６】
前記突起または前記溝は、前記支持部本体の周方向に１８０度の間隔をあけて二か所に設けられている請求項１５に記載のスティック式指示装置。
【請求項１７】
前記規制面と前記対向面との間にはクリアランスが設けられ、
前記クリアランスの最大値は、４．０６ｍｍ以上４．１６ｍｍ以下である請求項１５または１６に記載のスティック式指示装置。
【考案の詳細な説明】
【技術分野】
【０００１】
本考案はスティック式指示装置に関する。
【背景技術】
【０００２】
従来、スティック式指示装置は例えばビデオゲーム機の操作具等に広く用いられている。スティック式指示装置は、操作スティックの傾倒方向や傾倒量に応じて異なる操作信号を送信可能となっており、この操作信号によってディスプレイに表示されたゲーム内のキャラクターの操作等が行われるようになっている。
なっている。
【０００３】
この種のスティック式指示装置は例えば特許文献１に記載されている。特許文献１の装置では、操作スティック（操作レバー）を八角形のガイド孔内で揺動させることで前後（上下）方向における両方向、左右方向における両方向、斜め方向における両方向の合計八方向へ操作スティックを安定して傾倒させるようにしている。
【０００４】
ところで現在、ビデオゲームで選手同士が競い合い勝敗を決定するｅスポーツ（エレクトロニック・スポーツ）が広く普及してきている。特にプロゲーマーと呼ばれるプロ選手同士による試合では非常にシビアな戦いが行われることから、スティック式指示装置の操作ミスによって敗戦してしまうといったリスクも想定される。
【先行技術文献】
【特許文献】
【０００５】
【特許文献１】特許第２８５３０９９号公報
【考案の概要】
【考案が解決しようとする課題】
【０００６】
ｅスポーツの試合において選手は、操作スティックを視認することなく感覚で操作するため、例えば所定の方向に操作スティックを傾倒させたつもりであっても、傾倒させたいと考えた方向と実際に操作スティックが傾倒した方向とがずれてしまい操作ミスにつながる可能性があった。例えば特許文献１に記載の装置ではガイド孔が正八角形状をなしているため、前後（上下）方向、左右方向、斜め方向のいずれの方向に操作スティックを傾倒させた場合においても、これらの間で操作者の操作感覚に大きな差異は出にくく、操作方向にミスが生じるリスクは依然として存在している。
【０００７】
そこで本考案は、操作性を向上し、操作ミスの発生頻度を低減可能なスティック式指示装置を提供する。
【課題を解決するための手段】
【０００８】
本考案の一態様に係るスティック式指示装置は、操作者が操作する軸状をなす操作スティックと、前記操作スティックを内側に配置するスティック配置孔を形成するとともに、前記操作スティックの軸方向が前記スティック配置孔の延びる方向に一致した起立姿勢と、該起立姿勢に対して前記操作スティックを傾倒させた傾倒姿勢との間で起倒可能に前記操作スティックを支持する基台と、前記傾倒姿勢となる前記操作スティックの外面が、内面に接触するガイド孔を形成するとともに前記基台に設けられたガイド部材と、前記操作スティックの動作に対応した操作指示信号を生成する基板装置と、を備え、前記ガイド孔は、該ガイド孔の延びるガイド孔方向から見て、頂点または頂線を意味する八個の頂部を有する八角形状または角丸八角形状をなし、前記起立姿勢となる前記操作スティックの軸線からの距離が互いに異なる少なくとも二種の前記頂部が設けられている。
【０００９】
上記スティック式指示装置では、前記操作スティックの最大傾倒量を異ならせる少なくとも前記二種の前記頂部が設けられていてもよい。
【００１０】
上記スティック式指示装置では、八個の前記頂部のそれぞれと、前記起立姿勢となる前記操作スティックにおける軸線とを結ぶ八本の仮想線を定義した際に、前記ガイド孔方向から見て、隣り合う該仮想線同士の角度差が４５度となってもよい。
【００１１】
上記スティック式指示装置では、前記操作者の前方に操作スティックが配置された状態で前記操作者の前後方向に延びる一対の前記仮想線を第一仮想線対、前記操作者の左右方向に延びる一対の前記仮想線を第二仮想線対、および前記前後方向と前記左右方向とによって前記軸線に対する周方向に挟まれる斜め方向に延びる一対の前記仮想線を第三仮想線対および第四仮想線対と定義した際に、前記第三仮想線対上および前記第四仮想線対上に配置された前記頂部は、前記第一仮想線対上および前記第二仮想線対上に配置された前記頂部に比べて、前記起立姿勢となる前記操作スティックの軸線からの距離が大きくともよい。
【００１２】
上記スティック式指示装置では、前記起立姿勢となる前記操作スティックの軸線から前記第三仮想線対上および前記第四仮想線対上に配置された前記頂部までの距離である斜方距離Ａと、前記起立姿勢となる前記操作スティックの軸線から前記第一仮想線対上および前記第二仮想線対上に配置された前記頂部までの距離である前後左右距離Ｂとが、√２×Ｂ＞Ａ＞Ｂを満足してもよい。
【００１３】
上記スティック式指示装置では、前記第三仮想線対上および前記第四仮想線対上での前記操作スティックの最大傾倒量が、前記第一仮想線対上および前記第二仮想線対上での前記操作スティックの最大傾倒量に比べて大きくなっていてもよい。
【００１４】
上記スティック式指示装置では、前記第三仮想線対上および前記第四仮想線対上での前記操作スティックの最大傾倒量が、互いに同一であってもよい。
【００１５】
上記スティック式指示装置では、前記第一仮想線対上および前記第二仮想線対上に配置された四つの前記頂部は、該頂部の各々から前記起立姿勢となる前記操作スティックの軸線までの距離が互いに同一となる位置に配置されていてもよい。
【００１６】
上記スティック式指示装置では、前記第一仮想線対上および前記第二仮想線対上での前記操作スティックの最大傾倒量は、互いに同一であってもよい。
【００１７】
上記スティック式指示装置では、前記操作スティックは円柱状をなすスティック本体を有し、前記ガイド孔は前記角丸八角形状をなし、前記ガイド孔の内面は、前記頂部同士の間に配置された平面部と、前記頂部を挟んで、前記起立姿勢となる前記操作スティックの軸線に対して周方向の両方向に前記スティック本体の外周面と共通する方向に湾曲して延びて、隣接する前記平面部同士を接続するとともに前記スティック本体の外面に接触可能な曲面部と、を有していてもよい。
【００１８】
上記スティック式指示装置では、前記操作スティックは円柱状をなすスティック本体を有し、前記ガイド孔は前記角丸八角形状をなし、前記ガイド孔の内面は、前記頂部同士の間に配置された平面部と、前記頂部を挟んで、前記起立姿勢となる前記操作スティックの軸線に対して周方向の両方向に前記スティック本体の外周面と共通する方向に湾曲して延びて、隣接する前記平面部同士を接続するとともに前記スティック本体の外面に接触可能な曲面部と、を有し、前記第三仮想線対上および前記第四仮想線対上の前記頂部を挟んで配置された前記曲面部の曲率半径Ｒｘと、前記第一仮想線対上および前記第二仮想線対上の前記頂部を挟んで配置された前記曲面部の曲率半径Ｒｙと、前記スティック本体の外面の曲率半径Ｒｚとが、Ｒｚ≧Ｒｙ＞Ｒｘを満足してもよい。
【００１９】
上記スティック式指示装置では、前記操作スティックが前記頂部へ向けて傾倒した際に、前記操作スティックと前記頂部との間には隙間が形成されてもよい。
【００２０】
上記スティック式指示装置では、前記ガイド孔の内面が、前記ガイド孔方向に前記操作者が操作する側となる前記操作スティックの先端側から、前記基台によって支持される側となる前記操作スティックの基端側に向かって漸次傾斜するテーパ面となっており、前記ガイド孔の内面に前記操作スティックが接触した最大傾倒姿勢における該操作スティックの軸方向と、前記テーパ面とが並行であってもよい。
【００２１】
上記スティック式指示装置では、前記操作スティックは、軸方向に延びるスティック本体と、前記スティック本体に設けられ、前記操作スティックにおける軸線に対する周方向を向く規制面と、を有し、前記基台には、前記規制面に対向して前記スティック本体の相対回転を規制する対向面が設けられていてもよい。
【００２２】
上記スティック式指示装置では、前記操作スティックは、前記スティック本体に対して前記操作スティックにおける軸線に対する周方向への相対回転が規制されつつ該スティック本体の外面に設けられ、かつ前記規制面を形成する支持部をさらに有し、前記支持部は、前記操作スティックの軸方向からみて円形状をなすとともに前記基台に対して揺動可能に支持された支持部本体と、前記支持部本体の周方向の一部において該支持部本体の径方向外側に突出する突起、または内周側に凹む溝と、を有し、前記規制面は、前記突起または前記溝における前記支持部本体の周方向を向く面であってもよい。
【００２３】
上記スティック式指示装置では、前記突起または前記溝は、前記支持部本体の周方向に１８０度の間隔をあけて二か所に設けられていてもよい。
【００２４】
上記スティック式指示装置では、前記規制面と前記対向面との間にはクリアランスが設けられ、前記クリアランスの最大値は、４．０６ｍｍ以上４．１６ｍｍ以下であってもよい。
【考案の効果】
【００２５】
上記のスティック式指示装置によれば、操作性を向上し、操作ミスの発生頻度を低減可能である。
【図面の簡単な説明】
【００２６】
【図１】本考案の実施形態に係るスティック式指示装置の全体斜視図である。
【図２】上記スティック式指示装置の分解斜視図である
【図３】上記スティック式指示装置におけるスティック本体を示す図であって、（ａ）は正面図であり、（ｂ）は上面図である。
【図４】上記スティック式指示装置における支持部を示す図であって、（ａ）は上面図であり、（ｂ）は縦断面図であって（ａ）のＩＶ−ＩＶ断面を示す図である。
【図５】上記スティック式指示装置における基台を示す図であって、（ａ）は上面図であり、（ｂ）は縦断面図であって（ａ）のＶ−Ｖ断面を示す図である。
【図６】上記スティック式指示装置における基台と支持部との位置関係を示す図であって、（ａ）は規制面と対向面とが非接触の状態を示す図であり、（ｂ）は規制面と対向面とが接触している状態を示す図である。
【図７】上記スティック式指示装置におけるガイド部材を示す図であって、（ａ）は上面図であり、（ｂ）は縦断面図であって（ａ）のＶＩＩ−ＶＩＩ断面を示す図である。る。
【図８】上記スティック式指示装置におけるガイド部材のガイド孔の軸線に直交する断面図である。
【考案を実施するための形態】
【００２７】
（全体構成）
以下、本考案の実施形態に係るスティック式指示装置１００について説明する。
図１に示すようにスティック式指示装置１００は、操作者によって操作される操作スティック１と、操作スティック１を支持する基台２と、基台２に設けられた基板装置３およびガイド部材４とを備えている。
【００２８】
（操作スティック）
操作スティック１は軸状をなし、例えば金属によって形成されている。図２に示すように本実施形態において操作スティック１は、軸線Ｏを中心とした円柱状をなすとともに断面が真円形状のスティック本体１０と、スティック本体１０の外面に設けられる支持部１１とを有している。
【００２９】
図３（ａ）に示すようにスティック本体１０の長手方向、すなわち軸方向Ｄの中途位置には、スティック本体１０の外面から径方向外側に突出するフランジ１０ａが設けられている。フランジ１０ａにおける径方向外側を向く外面は、図３（ｂ）に示すようにスティック本体１０の周方向に１８０度ずれた二か所の位置にそれぞれ配置されてスティック本体１０の外面と共通する方向に湾曲する第一円弧面部１０ｘと、軸線Ｏに対する周方向に１８０度ずれた二か所の位置にそれぞれ配置されて第一円弧面部１０ｘ同士を接続する第一平面部１０ｙとを有している。
【００３０】
スティック本体１０における先端には、操作者によって把持される握り玉１０ｂが設けられている（図１および図２参照）。以下、操作スティック１を基準として、操作者が操作する側となる握り玉１０ｂが設けられている側を軸方向Ｄの先端側Ｄａとし、後述する基台２によって支持される側を軸方向Ｄの基端側Ｄｂとして説明する。また、軸線Ｏに対する周方向を単に周方向とし、軸線Ｏに対する径方向を単に径方向として説明する。
【００３１】
支持部１１は、スティック本体１０におけるフランジ１０ａを覆うように設けられている（図２参照）。図４（ａ）および図４（ｂ）に示すように支持部１１は、軸方向Ｄから見て真円形状をなす支持部本体１２と、支持部本体１２に設けられた突起１３とを有している。
【００３２】
支持部本体１２には、スティック本体１０を挿通させるように軸方向Ｄに延びる貫通孔１２ａが形成されている。貫通孔１２ａの内径は軸方向Ｄの基端側Ｄｂで小さく、先端側Ｄａで大きくなっている。すなわち貫通孔１２ａにはその延在方向、すなわち軸方向Ｄの中途位置で軸方向Ｄの先端側Ｄａを向く段差面１２ｘが形成されている。貫通孔１２ａにおける段差面１２ｘよりも軸方向Ｄの先端側Ｄａの部分は、スティック本体１０のフランジ１０ａが収容されるフランジ収容部１２ｂとなっている。フランジ収容部１２ｂの内側面は、フランジ１０ａの第一円弧面部１０ｘに対応するように湾曲する第二円弧面部１２ｙと、第一平面部１０ｙに対応する第二平面部１２ｚとを有している。フランジ収容部１２ｂの内側面とフランジ１０ａの外面とは若干の隙間を空けて対向するか、または嵌合している。これにより、フランジ１０ａと支持部本体１２との間の相対回転、すなわちスティック本体１０と支持部１１との間の相対回転が規制されている。スティック本体１０が軸方向Ｄの先端側Ｄａから基端側Ｄｂに向けて貫通孔１２ａに挿通されることで、フランジ１０ａが段差面１２ｘに対向して接触し、フランジ１０ａがフランジ収容部１２ｂに収容される。これにより、支持部本体１２がスティック本体１０に対して軸方向Ｄの先端側Ｄａへ相対移動してしまうことを規制している。
【００３３】
また、支持部本体１２における軸方向Ｄの基端側Ｄｂを向く外面１２ｃは球面状をなしている。この球面状をなす外面１２ｃは後述する基台２の面に対向して接触して摺動することで、支持部本体１２が操作スティック１を基台２に対して揺動させる。すなわち支持部本体１２と基台２とが球面自在継手のように機能する。
【００３４】
突起１３は、周方向の一部において支持部本体１２から径方向外側に突出している。突起１３は、周方向に１８０度の間隔をあけて二か所の位置に設けられている。各々の突起１３は矩形状をなし、各々の突起１３には周方向を向く面が二つずつ設けられている。これら周方向を向く面は平面状をなし、後述する基台２に対する支持部本体１２の相対回転を規制する規制面１３ｘとなっている。本実施形態において突起１３は、周方向において、支持部本体１２におけるフランジ収容部１２ｂの第二円弧面部１２ｙに対応する位置にそれぞれ設けられている。
【００３５】
（基台）
図１および図２に戻って、基台２は、操作スティック１を起倒可能に支持している。本実施形態では基台２は矩形のプレート状をなしている。基台２は、例えばビデオゲーム機のコントローラ部分の筐体等の他の物体（不図示）に対して固定可能となっている。
【００３６】
図５（ａ）および図５（ｂ）に示すように基台２には、操作スティック１におけるスティック本体１０を内側に配置する真円形状のスティック配置孔２ａが、基台２の厚さ方向、すなわち軸方向Ｄに貫通して設けられている。スティック配置孔２ａの内径は軸方向Ｄの基端側Ｄｂで小さく、先端側Ｄａで大きくなっている。よってスティック配置孔２ａにはその延在方向の途中の位置で軸方向Ｄの先端側Ｄａを向く段差面２ｘが形成されている。スティック配置孔２ａにおける段差面２ｘよりも軸方向Ｄの先端側Ｄａの部分は、操作スティック１の支持部１１が収容される支持部収容部２ｂとなっている。
【００３７】
支持部収容部２ｂの内面は、支持部１１の外面に対応した形状を有している。具体的には、軸方向Ｄからみて支持部収容部２ｂは真円形状をなし、かつ、周方向に１８０度の間隔をあけて二か所に、支持部収容部２ｂの内面から径方向外側に向かって凹むように突起収容溝２ｃが形成されている。突起収容溝２ｃは支持部１１における突起１３に対応する形状を有し、内側に突起１３を収容する。そして突起収容溝２ｃには周方向を向く面が形成されている。この面は突起１３における規制面１３ｘに対向する対向面２ｙとなっている。対向面２ｙは基台２に対して支持部１１、すなわちスティック本体１０の相対回転を規制する面である。
【００３８】
ここで図６（ａ）に示すように、規制面１３ｘと対向面２ｙとの間にはクリアランスＣが設けられている。図６（ｂ）に示すようにクリアランスＣの最大値Ｃｍａｘは、４．０６ｍｍ以上４．１６ｍｍ以下となっている。ここでクリアランスＣの最大値Ｃｍａｘとは、各々の突起１３における一方の規制面１３ｘがスティック配置孔２ａにおける対向面２ｙに接触した状態において、他方の規制面１３ｘとスティック配置孔２ａにおける対向面２ｙとの間の周方向の最大の間隔を示す。
【００３９】
また図５（ａ）および図５（ｂ）に戻って段差面２ｘは、支持部本体１２における軸方向Ｄの基端側Ｄｂを向く球面状の外面１２ｃに対応する球面状をなしている。そして支持部収容部２ｂに支持部１１が収容されると、支持部本体１２の球面状の外面１２ｃが段差面２ｘに対向して接触し、支持部本体１２と基台２とが球面自在継手のように機能し、基台２に対して支持部１１およびスティック本体１０が揺動可能となっている。
【００４０】
この結果、基台２は操作スティック１の長手方向、すなわち軸方向Ｄがスティック配置孔２ａの延びる方向に一致した起立姿勢と、この起立姿勢に対して操作スティック１を操作者によって傾倒させた傾倒姿勢との間で起倒可能に、操作スティック１を支持している。
【００４１】
ここで図２に戻って、基台２よりも軸方向Ｄの基端側Ｄｂの位置から、弾性部材（スプリング）を含むスティック支持部品１１０がスティック本体１０の外面に設けられている。スティック支持部品１１０は、傾倒姿勢から起立姿勢に戻る方向への復元力を操作スティックに付与している。さらに、基台２よりも軸方向Ｄの先端側Ｄａの位置からはパッキンやスペーサ等の付属部品１２０がスティック本体１０を挿通させるように設けられている。
【００４２】
（基板装置）
基板装置３は、基台２に対して軸方向Ｄの基端側Ｄｂから重ねられるようにして基台２に固定されている。基板装置３は、矩形のプレート状の配線基板３０と、配線基板３０に取り付けられた複数（四つ）のマイクロスイッチ３１とを有している。配線基板３０にはプレート厚さ方向、すなわち軸方向Ｄに貫通する基板貫通孔３０ａが形成されている。この基板貫通孔３０ａの内側には、スティック本体１０が配置されるようになっている。複数のマイクロスイッチ３１は、操作スティック１のスティック本体１０を外周側から囲むように配置され、操作スティック１が傾倒姿勢となった際には、スティック本体１０の外面によってスイッチ部３１ａが押圧されることでマイクロスイッチ３１が作動し、配線基板３０によって操作スティック１の動作に対応した操作指示信号が生成され、配線基板３０のコネクタ３０ｂを通じてゲーム機本体等の外部の機器（不図示）へ操作指示信号が出力されるようになっている。
【００４３】
（ガイド部材）
次にガイド部材４について詳細に説明する。
図７（ａ）および図７（ｂ）に示すように、ガイド部材４は、本実施形態では矩形のプレート状をなしている。ガイド部材４は、基板装置３に対して軸方向Ｄの基端側Ｄｂから重ねられるようにして、基板装置３を基台２との間に挟み込むようにして、基台２に固定されている。
【００４４】
ガイド部材４には、プレート厚さ方向、すなわち軸方向Ｄに貫通するガイド孔４ａが形成されている。ガイド孔４ａは、自身の延びるガイド孔方向、すなわち軸方向Ｄから見て頂点または頂線を意味する八個の頂部４０を有する八角形状または角丸八角形状をなしている。これらの頂部４０は詳しく後述するように、起立姿勢となる操作スティック１の軸線Ｏからの距離ｄｓ（ガイド孔４ａをガイド孔方向から見た際の軸線Ｏからの直線距離、すなわち軸線Ｏからの最短距離を意味する）が互いに異なる少なくとも二種の頂部４０を含んでいる。ガイド孔４ａの内面には、傾倒姿勢となる操作スティック１におけるスティック本体１０の外面が接触して係止される。すなわちガイド孔４ａは操作スティック１の傾倒範囲を画定し、ガイド孔４ａの内面にスティック本体１０の外面が接触した際に、操作スティック１は最も傾倒した最大傾倒姿勢となる。
【００４５】
図８に示すように、本実施形態において八個の頂部４０は、起立姿勢となる操作スティック１における軸線Ｏと同心状に中心が配置される仮想的な真円Ｔにおける当該中心と、この真円Ｔに内接する正八角形Ｈの各頂点とを通る仮想線にそれぞれ配置されている。すなわちこれら仮想線は八個の頂部４０のそれぞれと、起立姿勢となる操作スティック１における軸線Ｏとを結ぶ八本の仮想的な線分であって、軸方向Ｄから見て周方向に隣合う仮想線同士の角度差は４５度となっており、複数の頂部４０は軸線Ｏ回りに４５度ずつ間隔をあけて一つずつ配置されている。
【００４６】
より具体的には複数の頂部４０として、操作者の前方に操作スティック１が配置された状態において、操作者の前後方向に延びる一対の第一仮想線対Ｌ１上に配置されたニ個の頂部４０Ａ、操作者の左右方向に延びる一対の第二仮想線対Ｌ２上に配置されたニ個の頂部４０Ｂ、および前後方向と左右方向とによって上記の真円Ｔの周方向に挟まれる斜め方向に延びる一対の第三仮想線対Ｌ３上および第四仮想線対Ｌ４上にそれぞれ配置された四個の頂部４０Ｃとが設けられている。そして第三仮想線対Ｌ３上および第四仮想線対Ｌ４上に配置された頂部４０Ｃは、第一仮想線対Ｌ１上および第二仮想線対Ｌ２上に配置された頂部４０Ａ、４０Ｂに比べて、起立姿勢となる操作スティック１の軸線Ｏからの距離ｄｓが大きくなっている。
【００４７】
よって本実施形態では、起立姿勢となる操作スティック１の軸線Ｏから第三仮想線対Ｌ３上および第四仮想線対Ｌ４上に配置された頂部４０Ｃまでの距離ｄｓである斜方距離Ａと、起立姿勢となる操作スティック１の軸線Ｏから第一仮想線対Ｌ１上および第二仮想線対Ｌ２上に配置された頂部４０Ａ、４０Ｂまでの距離である前後左右距離Ｂとが、以下の式（１）を満足する。
√２×Ｂ＞  Ａ  ＞  Ｂ・・・（１）
【００４８】
そして、第三仮想線対Ｌ３上および第四仮想線対Ｌ４上での操作スティック１の最大傾倒量が、第一仮想線対Ｌ１上および第二仮想線対Ｌ２上での操作スティック１の最大傾倒量に比べて大きくなっているとともに、第三仮想線対Ｌ３上および第四仮想線対Ｌ４上での操作スティックの最大傾倒量が互いに同一となっている。また、第一仮想線対Ｌ１上および第二仮想線対Ｌ２上での操作スティック１の傾倒量は互いに同一となっている。ここで「最大傾倒量」とは、操作者が操作する側となる操作スティック１の先端側Ｄａ、すなわち操作スティック１が起立姿勢から最大傾倒姿勢となるまでに握り玉１０ｂが移動する距離を示す。
【００４９】
さらに、ガイド孔４ａの内面は、頂部４０同士の間に配置された平面部４ｘと、各々の頂部４０を挟んでスティック本体１０の外面と共通する方向に湾曲して延びて隣接する平面部４ｘ同士を接続する曲面部４ｙとを有している。曲面部４ｙは軸線Ｏから離れる方向に凸状をなすように湾曲し、起立姿勢となる操作スティック１の軸線Ｏに対して周方向の両方向に配置されている。よって本実施形態のガイド孔４ａは角丸八角形状をなしている。
【００５０】
また、第三仮想線対Ｌ３上および第四仮想線対Ｌ４上の頂部（斜め方向の頂部）４０Ｃを挟んで配置された曲面部４ｙの曲率半径Ｒｘが、第一仮想線対Ｌ１上および第二仮想線対Ｌ２上の頂部（前後左右方向の頂部）４０Ａ、４０Ｂを挟んで配置された曲面部４ｙの曲率半径Ｒｙよりも小さくなっている。より具体的には、斜め方向の頂部４０Ｃ周りの曲面部４ｙの曲率半径は３ｍｍであり、前後左右方向の頂部４０Ａ、４０Ｂ周りの曲面部４ｙの曲率半径は５ｍｍである。さらにスティック本体１０の外面の曲率半径Ｒｚは５ｍｍであるため、各曲率半径は下記の式（２）を満足する。
Ｒｚ≧Ｒｙ＞Ｒｘ・・・（２）
【００５１】
そして本実施形態ではＲｚ＞Ｒｘとなることで、操作スティック１が斜め方向の頂部４０Ｃへ向けて傾倒した際に、スティック本体１０の外面と頂部４０Ｃとの間には径方向に隙間Ｓが形成された状態で、スティック本体１０の外面が曲面部４ｙに接触する。すなわちこの際、軸方向Ｄから見てスティック本体１０の外面とガイド孔４ａの内面とは、周方向に互いに離れた二か所の位置で接触するようになっている。
【００５２】
またガイド孔４ａの内面は軸方向Ｄの先端側Ｄａから基端側Ｄｂに向かって漸次傾斜するテーパ面となっている。本実施形態ではテーパ面は軸線Ｏに対して１０度以上１５度以下傾斜しているとよく、本実施形態ではテーパ面は軸線Ｏに対して１３．３４度傾斜している。
【００５３】
そして最大傾倒姿勢における操作スティック１の軸方向Ｄとガイド孔４ａの内面とは並行となり、スティック本体１０の外面は軸方向Ｄの全域でガイド孔４ａの内面に接触可能となっている。よって操作スティック１が頂部４０Ｃへ向けて傾倒した際には、スティック本体１０の外面と曲面部４ｙとが周方向に互いに離れた二か所の位置で線接触するようになっている。
【００５４】
（作用効果）
本実施形態のスティック式指示装置１００によれば、ガイド部材４におけるガイド孔４ａが八個の頂部４０を有する角丸八角形状をなすとともに、八個の頂部４０のうち斜め方向に延びる第三仮想線対Ｌ３および第四仮想線対Ｌ４上の頂部４０Ｃが、前後左右方向に延びる第一仮想線対Ｌ１および第二仮想線対Ｌ２上の頂部４０Ａ、４０Ｂに比べて軸線Ｏから離れた位置に配置されている。すなわち、ガイド孔４ａが不等辺の八角形状をなしているため、頂部４０Ｃに向けて斜め方向に操作スティック１を傾倒させた際には、頂部４０Ａ、４０Ｂに向けて前後左右方向に操作スティック１を傾倒させる場合に比べて、操作スティック１の最大傾倒量を大きくすることができる。このため、前後左右方向に比べて感覚的に位置が分りにくいと考えられる斜め方向へ、確実に操作スティック１を傾倒させることが可能となり、操作性を向上し、操作ミスの発生頻度を低減することができる。
【００５５】
さらに各頂部４０は、正八角形Ｈの頂点と同様に周方向に等角度で配置されているため、例えば斜め方向を感覚的に把握しやすく、操作スティック１の誤操作をさらに低減できる。
【００５６】
また本実施形態では、軸線Ｏから頂部４０Ｃまでの斜方距離Ａと、軸線Ｏから頂部４０Ａ、４０Ｂまでの前後左右距離Ｂとが、上記式（１）の√２×Ｂ＞Ａ＞Ｂを満足するため、斜め方向への操作スティック１の最大傾倒量が大きくなり過ぎず、例えば前後左右方向から斜め方向へ、または斜め方向から前後左右方向に連続的に周方向に操作スティック１を動作させようとした際に、滑らかに操作スティック１を動作させることができるため、操作性を損なうことがない。
【００５７】
また、頂部４０Ａ、４０Ｂへ向けた前後左右方向への操作スティック１の最大傾倒量はすべて同一である。また頂部４０Ｃへ向けた斜め方向への操作スティック１の最大傾倒量はすべて同一である。よって前後左右方向においていずれの側へも感覚的な差異無く操作スティック１を動作させることができ、同様に、斜め方向においていずれの側へも感覚的な差異無く操作スティック１を動作させることができる。
【００５８】
またガイド孔４ａの内面が頂部４０周りに配置された曲面部４ｙを有しているため、操作スティック１を傾倒させた際には、円柱状をなすスティック本体１０の外面が曲面部４ｙによって頂部４０へ向けて滑らかに案内されるとともに、頂部４０から周方向へ離れる方向へも、滑らかに操作スティック１を案内することができる。すなわち仮に頂部４０周りに曲面部４ｙが設けられていない場合、操作スティック１を頂部４０へ向けて動作させたり、操作スティック１を頂部４０から周方向に離れる方向に動作させたりすると、操作スティック１がガイド孔４ａの内面に引っ掛かるような抵抗感が感じられる可能性があるが、本実施形態では曲面部４ｙによって操作スティック１の動作の円滑性を確保することができる。
【００５９】
またガイド孔４ａの内面が曲面部４ｙ同士の間に平面部４ｘを有しているため、平面部４ｘに接触させながら周方向に操作スティック１を動作させる際には、最短距離で素早く曲面部４ｙおよび頂部４０向けて操作スティック１を案内することができる。
【００６０】
また、頂部４０Ｃ周りに配置された曲面部４ｙの曲率半径Ｒｘと、頂部４０Ａ、４０Ｂ周りに配置された曲面部４ｙの曲率半径Ｒｙと、スティック本体１０の外面の曲率半径Ｒｚとが、上記式（２）のＲｚ≧Ｒｙ＞Ｒｘの関係を満足するため、頂部４０Ｃへ向けた斜め方向へ操作スティック１を傾倒させた際には、スティック本体１０の外面が、周方向に離れた二か所の位置でガイド孔４ａの内面に接触することになる。したがって斜め方向へ操作スティック１を傾倒させた際には、頂部４０Ｃの位置で操作スティック１を安定的に保持することができ、斜め方向へ操作スティック１を傾倒させている状態を感覚的に把握しやすくなる。
【００６１】
また、操作スティック１を斜め方向の頂部４０Ｃへ向けて傾倒させた際には、操作スティック１と頂部４０Ｃとの間には隙間Ｓが形成される。すなわち、スティック本体１０の外面がガイド孔４ａの内面に面接触することなく、周方向に離れた二か所の位置で接触（本実施形態では線接触）することになる。したがって頂部４０Ｃの位置において操作スティック１がガイド孔４ａによって強くホールドされてしまうことを回避でき、操作スティック１を周方向へ円滑に動作させることができる。
【００６２】
また、ガイド孔４ａの内面はテーパ面となっており、最大傾倒姿勢においてスティック本体１０の外面に軸方向Ｄの全域で接触するようになっている。したがって、最大傾倒姿勢において操作スティック１を安定的に保持することができる。
【００６３】
また操作スティック１の支持部１１の突起１３には規制面１３ｘが設けられ、規制面１３ｘに対して基台２の突起収容溝２ｃの対向面２ｙが対向することで、操作スティック１と基台２との相対回転が規制される。よって所望の方向へ操作スティック１を傾倒させようとした際に、操作スティック１が回転してしまい、想定していた方向とは異なる方向へ操作スティック１が動作してしまうことを回避でき、誤操作を抑制することができる。特に本実施形態では周方向に二か所に突起１３を設けているため、操作スティック１と基台２との相対回転をより確実に規制することができる。
【００６４】
また突起１３の規制面１３ｘと、突起収容溝２ｃの対向面２ｙとの間のクリアランスＣの最大値Ｃｍａｘが４．０６ｍｍ以上４．１６ｍｍ以下であるため、操作スティック１の円滑な揺動を可能としつつ、、操作スティック１と基台２との相対回転を規制することができる。
【００６５】
本考案は、上述の実施の形態に限定されるものではなく、本考案の要旨を逸脱しない範囲内において種々変更を加え得ることは勿論である。
【００６６】
例えば、ガイド孔４ａの内面が全て平面で構成され、ガイド孔４ａが角のある不等辺の八角形状をなしていてもよい。
【００６７】
また上記実施形態とは逆に、軸線Ｏと頂部４０Ａ、４０Ｂとの距離（前後左右方向への操作スティック１の最大傾倒量）の方が、軸線Ｏと頂部４０Ｃとの距離（斜め方向への操作スティック１の最大傾倒量）に比べて大きくなっていてもよい。またこれに限定されず、軸線Ｏとの距離が異なる少なくとも二種の頂部４０が設けられていればよく、前後、左右、斜め方向のうちのいずれか一の方向への操作スティック１の最大傾倒量が、他の方向への最大傾倒量よりも大きいか、または小さくなるようにしてもよい。
【００６８】
また、各頂部４０は必ずしも周方向に４５度の等角度に配置されなくともよい。
【００６９】
また、操作スティック１と基台２との相対回転を規制する構造は上記の場合に限定されず、例えば支持部１１には突起１３に代えて溝を設け、逆に基台２の突起収容溝２ｃに代えて突起を設けてもよい。また支持部１１をスティック本体１０に一体に設け、スティック本体１０に規制面１３ｘを直接形成してもよい。
【００７０】
またガイド部材４は、基台２に対して軸方向Ｄの先端側Ｄａに設けられてもよい。
【産業上の利用可能性】
【００７１】
本考案のスティック式指示装置によれば、操作性を向上し、操作ミスの発生頻度を低減可能である。
【符号の説明】
【００７２】
１…操作スティック
２…基台
２ａ…スティック配置孔
２ｙ…対向面
３…基板装置
４…ガイド部材
４ａ…ガイド孔
４ｘ…平面部
４ｙ…曲面部
１０…スティック本体
１１…支持部
１２…支持部本体
１３…突起
１３ｘ…規制面
４０（４０Ａ、４０Ｂ、４０Ｃ）…頂部
１００…スティック式指示装置
Ｃ…クリアランス
Ｄ…軸方向
Ｄａ…先端側
Ｄｂ…基端側
Ｌ１…第一仮想線対
Ｌ２…第二仮想線対
Ｌ３…第三仮想線対
Ｌ４…第四仮想線対
Ｏ…軸線
Ｓ…隙間
Ｔ…真円
【図１】
0003234990.tif 000003
【図２】
0003234990.tif 000004
【図３】
0003234990.tif 000005
【図４】
0003234990.tif 000006
【図５】
0003234990.tif 000007
【図６】
0003234990.tif 000008
【図７】
0003234990.tif 000009
【図８】
0003234990.tif 000010